【手続補正書】
【提出日】平成16年5月24日(2004.5.24)
【手続補正１】
【補正対象書類名】特許請求の範囲
【補正対象項目名】全文
【補正方法】変更
【補正の内容】
【特許請求の範囲】
【請求項１】
中央コンピュータと、
それぞれが通達範囲エリアを有する、コンピュータ・ネットワークによって前記中央コンピュータに接続された一つ以上の無線アクセスポイントと、
バッジが通達範囲エリア内にある前記無線アクセスポイントの一つと無線プロトコルを用いて通信するバッジであり、ユーザから音声コマンド及び話された語を受信するマイクロフォンと、該ユーザによって聴かれる可聴信号を発生するスピーカとを更に備えている該バッジと、
を備え、かつ
通話は、前記ユーザから前記バッジの前記マイクロフォンへの音声コマンドによって開始され、かつ該通話は、前記バッジの前記マイクロフォン及び前記スピーカを用いて実行されることを特徴とする無線通信システム。
【請求項２】
前記バッジは、当該バッジが前記アクセスポイントのいずれかの通達範囲エリアのいずれかの内にない間に前記ユーザに通信信号を受信させるページャ受信機を更に備えていることを特徴とする請求項１に記載の無線通信システム。
【請求項３】
前記サーバは、前記アクセスポイントと通信するためのコンピュータ・ネットワーク・インターフェイスと、電話システムと通信するための電話インターフェイスと、及び前記通信システムを実施するソフトウェア・コードを実行する中央処理装置を更に備えていることを特徴とする請求項１に記載の無線通信システム。
【請求項４】
前記サーバは、アクセスポイントと通信するためのコンピュータ・ネットワーク・インタフェースと、電話システム及び通信ユニットと通信するための電話インタフェースと、を更に備え、
前記通信システムは、コマンドを生成するためにバッジのユーザからの音声コマンドを解釈する音声コマンド解釈プログラムと、前記音声コマンド解釈プログラムからのコマンドに応答し、電話インタフェースにわたり電話システムにわたり入力してくる及び出力してゆく通話を管理するコール・マネージャと、及び前記音声コマンド解釈プログラムからのコマンドに応答し、前記アクセスポイントとの前記無線通信を管理する接続マネージャとを更に備えていることを特徴とする請求項１に記載の無線通信システム。
【請求項５】
前記サーバは、ユーザに前記通信システムへアクセスさせかつ前記システムの一つ以上の構成セッティングを喚起させるアドミニストレータを更に備えていることを特徴とする請求項１または請求項４に記載の無線通信システム。
【請求項６】
前記バッジは、前記アクセスポイントと通信する無線トランシーバと、前記バッジの前記ユーザにテキスト・メッセージ及びメニューを表示することができるように構成されたディスプレイ・ユニットと、前記バッジにコマンドを入力するためのユーザ入力装置とを更に備えていることを特徴とする請求項１に記載の無線通信システム。
【請求項７】
前記無線プロトコルは、ブルートゥースを備え、前記バッジは、ブルートゥース・トランシーバを更に備えかつ各アクセスポイントは、ブルートゥース・トランシーバを備えていることを特徴とする請求項１に記載の無線通信システム。
【請求項８】
前記無線プロトコルは、ＩＥＥＥ８０２．１１コンプライアント標準を備え、前記バッジは、ＩＥＥＥ８０２．１１トランシーバを更に備えかつ各アクセスポイントは、ＩＥＥＥ８０２．１１トランシーバを備えていることを特徴とする請求項１に記載の無線通信システム。
【請求項９】
無線通信システムの動作を制御するためのコンピュータ手段と、
それぞれが通達範囲エリアを有し、一つ以上のアクセスポイントを有しているコンピュータ・ネットワークによって前記コンピュータ手段に接続された無線アクセスポイント手段と、
ハンド−フリー通信手段がその通達範囲エリア内にある前記無線アクセスポイントの一つと無線プロトコルを用いて通信するハンド−フリー通信手段と
を備え、
前記ハンド−フリー通信手段は、前記ユーザから音声コマンドを受信する手段と前記ユーザによって聴かれる可聴信号を生成する手段とを更に備え、かつ
通話は、前記ユーザから前記ハンド−フリー通信手段の受信機手段への音声コマンドによって始められ、かつ該通話は、前記ハンド−フリー通信手段の前記受信機手段及び前記発生器手段を用いて実行されることを特徴とする無線通信システム。
【請求項１０】
前記ハンド−フリー通信手段は、前記バッジがいずれの前記アクセスポイントのいずれの前記通達範囲エリア内にない間にユーザに通信信号を受信させるページャ受信機を更に備えていることを特徴とする請求項９に記載の無線通信システム。
【請求項１１】
前記コンピュータ手段は、前記アクセスポイントと通信するための手段と、電話システムと通信するための手段と、及び通信システムを実施するソフトウェア・コードを実行するための手段とを更に備えていることを特徴とする請求項９に記載の無線通信システム。
【請求項１２】
前記コンピュータ手段は、前記アクセスポイントと通信するためのコンピュータ・ネットワークと通信するための手段と、電話システムと通信するための手段と、及び通信ユニットとを更に備え、前記通信ユニットは、コマンドを生成するためにハンド−フリー通信手段のユーザからの前記音声コマンドを解釈するための手段と、前記解釈手段からの前記コマンドに応答し、前記電話システムにわたり入力してくる及び出力してゆく通話を管理するための手段と、及び前記解釈手段からの前記コマンドに応答し、前記アクセスポイントとの無線通信を管理するための手段とを更に備えていることを特徴とする請求項９に記載の無線通信システム。
【請求項１３】
前記コンピュータ手段は、ユーザに前記通信システムへアクセスさせかつ前記システムの一つ以上の構成セッティングを喚起させる手段を更に備えていることを特徴とする請求項１２に記載の無線通信システム。
【請求項１４】
前記ハンド−フリー通信手段は、前記アクセスポイントと通信する無線トランシーバと、テキスト・メッセージ及びメニューを前記バッジのユーザに表示することができるように構成されたディスプレイ・ユニットと、及び前記バッジにコマンドを入力するためのユーザ入力装置とを更に備えていることを特徴とする請求項９に記載の無線通信システム。
【請求項１５】
前記無線プロトコルは、ブルートゥースを備え、前記バッジは、ブルートゥース・トランシーバを更に備えかつ各アクセスポイントは、ブルートゥース・トランシーバを備えていることを特徴とする請求項９に記載の無線通信システム。
【請求項１６】
前記無線プロトコルは、ＩＥＥＥ８０２．１１コンプライアント標準を備え、前記バッジは、ＩＥＥＥ８０２．１１トランシーバを更に備えかつ各アクセスポイントは、ＩＥＥＥ８０２．１１トランシーバを備えていることを特徴とする請求項９に記載の無線通信システム。
【請求項１７】
ユニットの動作を制御するための中央処理装置と、
ユーザから音声コマンド及びスポークン・ワードを受信する前記中央処理装置に接続されたマイクロフォンと、
前記ユーザによって聞かれた可聴信号を生成する前記中央処理装置に接続されたスピーカと、
無線プロトコルを用いて前記無線通信システムと通信する前記中央処理装置に接続された無線トランシーバと
を備え、かつ
通話は、前記ユーザから前記ユニットの前記マイクロフォンへの音声コマンドによって始められ、かつ該通話は、該ユニットの該マイクロフォン及び前記スピーカを用いて実行されることを特徴とする、無線通信システムとのハンド−フリー通信用の無線通信ユニット。
【請求項１８】
前記ユニットの前記ユーザにテキスト・メッセージ及びメニューを表示することができるように構成されたディスプレイ・ユニットと、前記ユニットにコマンドを入力するためのユーザ入力装置とを更に備えていることを特徴とする請求項１７に記載のユニット。
【請求項１９】
前記バッジがいずれの前記アクセスポイントのいずれの前記通達範囲エリア内にない間にユーザに通信信号を受信させるページャ受信機を更に備えていることを特徴とする請求項１８に記載のユニット。
【請求項２０】
前記無線プロトコルは、ブルートゥースを備えていることを特徴とする請求項１７に記載のユニット。
【請求項２１】
前記無線プロトコルは、ＩＥＥＥ８０２．１１コンプライアント標準を備えていることを特徴とする請求項１７に記載のユニット。
【請求項２２】
ユーザから音声コマンド及びスポークン・ワードを受信する手段と、
前記ユーザによって聞かれた可聴信号を生成する手段と、
無線プロトコルを用いて前記無線通信システムと通信する無線通信手段と、
前記受信する手段、前記生成する手段及び前記無線通信手段の動作を制御する手段と
を備え、かつ
通話は、前記ユーザから前記ユニットの前記マイクロフォンへの音声コマンドによって始められ、かつ該通話は、該ユニットの該マイクロフォン及び前記スピーカを用いて実行されることを特徴とする、無線通信システムとのハンド−フリー通信用の無線通信ユニット。
【請求項２３】
前記ユニットのユーザにテキスト・メッセージ及びメニューを表示するための手段及び前記ユニットにコマンドを入力するための手段を更に備えていることを特徴とする請求項２２に記載のユニット。
【請求項２４】
前記バッジがいずれの前記アクセスポイントのいずれの前記通達範囲エリア内にない間にユーザに通信信号を受信させる手段を更に備えていることを特徴とする請求項２３に記載のユニット。
【請求項２５】
前記無線プロトコルは、ブルートゥースを備えていることを特徴とする請求項２２に記載のユニット。
【請求項２６】
前記無線プロトコルは、ＩＥＥＥ８０２．１１コンプライアント標準を備えていることを特徴とする請求項２２に記載のユニット。
【請求項２７】
ユーザに関連付けられた一つ以上のバッジと無線で通信する一つ以上のアクセスポイントに接続された中央コンピュータを有する無線通信システムのユーザを位置決めする方法であって、
前記無線通信システムの特定のユーザを位置決めするための要求を受信する段階と、
前記特定のユーザの前記バッジによって通信のために現在用いられている前記アクセスポイントを決定する段階と、及び
前記特定のユーザに対するロケーション・インジケータを生成する段階とを具備し、
前記ロケーション・インジケータは、前記特定のユーザによって用いられている前記アクセスポイントのネーム及びロケーションであることを特徴とする方法。